(57)【要約】      （修正有）【課題】設置場所に制限されず、また、初期設置費用も廉価であり、二酸化炭素も排出せず、定期的にバッテリーを交換することで装置外からエネルギーの補填なしに長期的な発電が可能な発電装置を提供する。【解決手段】バッテリー１により駆動モーター３に電力を供給し、当該駆動モーター３によりオルタネーター４を駆動し、当該オルタネーター４により発電した電力をインバータ６ａあるいはコンバータ６ｂを介して外部に電力を供給すると共に、余剰の電力をバッテリー１に供給可能に構成してある。【選択図】図１
2014018047.tif 000002
【特許請求の範囲】
【請求項１】
バッテリーにより駆動モーターに電力を供給し、当該駆動モーターによりオルタネーターを駆動し、当該オルタネーターにより発電した電力をインバータあるいはコンバータを介して外部に電力を供給すると共に、余剰の電力をバッテリーに供給し自己保持回路を形成する発電装置。
【請求項２】
予備のバッテリー（７）を備えた請求項１に記載の発電装置。
【発明の詳細な説明】
【技術分野】
【０００１】本考案は発電装置に関し、より詳しくはバッテリーとオルタネーター及びインバータやコンバータを組み合わせ且つ自己保持回路を組み合わせることで長期間に亘り継続的安定的に電力を供給することが可能な発電装置に関する。
【背景技術】
【０００２】特開２００２−３５９９６３号公報には、バッテリーから供給される電力で直流モーター及び交流モーターを駆動させると共に、二つのダイナモを使用することによって、バッテリーの充電と電気利用を可能にした発電装置が開示されている。【０００３】特開２０１１−２２６３２４号公報には、装置内で落下及び上昇を繰り返して循環する複数の球体に係る落下運動エネルギーを、電力に変換する発電装置が開示されている。
【先行技術文献】
【特許文献】
【０００４】
【特許文献１】特開２００２−３５９９６３号公報
【特許文献２】特開２０１１−２２６３２４号公報
【発明の概要】
【発明が解決しようとする課題】
【０００５】従来の発電機は必ず装置外からのエネルギーの供給を受けなければ発電機としての機能が果たす事が出来なかった  そこでこうした根本的な問題を解決するために本発明は自己保持回路を組み込む事によりバッテリーが消耗するまでの長期間に亘り、一切外部からのエネルギーの補給なしに発電を持続する事が可能になりバッテリーの交換等適切なメンテナンスを行う事により相当期間外部からのエネルギーの補給をしなくとも発電が可能な特徴を持った発電装置の提供が可能となる。【０００６】地球温暖化現象は世界が直面している深刻な地球環境問題の１つと言われている。すなわち、「年間平均気温の世界平均」の上昇に伴い降雨パターンや気象変化パターンが変化したり異常気象の頻度が上がったりという、深刻な気候変動への影響が懸念されている。【０００７】そして、地球温暖化の要因の一つとして、二酸化炭素の排出が挙げられ、種々の具体的対応策が提案され、二酸化炭素の排出を抑制することが進められている。【０００８】発電の分野における二酸化炭素の排出抑制手段としては、二酸化炭素を多く排出する火力発電から、二酸化炭素を排出しない代替発電、具体的には自然エネルギーを利用する風力発電や太陽光発電、原子力を利用した原子力発電への移行が進められている。【０００９】しかし、例えば、太陽光エネルギーから電力を得るには、太陽光発電システムの設置が必要であり、また、風力発電にも風車等の設置が必要であり、設備費用が高額になりがちという問題がある。又、原子力の場合自然災害や人災による放射能汚染のように人類の存亡に関わる重大なリスクを背負わなければならない。【００１０】そこで、本考案は、設置場所に制限されず、また、初期設置費用も廉価であり、二酸化炭素も排出せず、定期的にバッテリーを交換することで安全で人類にも自然にも優しく且つ長期的な発電が可能な発電装置を提供することを目的とする。
【課題を解決するための手段】上記の目的を達成する本発明の構成は次の通りである。【００１１】（１）請求項１に記載の発電装置は、バッテリーにより駆動モーターに電力を供給し、当該駆動モーターによりオルタネーターを駆動し、当該オルタネーターにより発電した電力をインバータあるいはコンバータを介して外部に電力を供給すると共に、余剰の電力をバッテリーに供給可能に構成してある。【００１２】（２）請求項２に記載の発電装置は、請求項１記載の発電装置において、予備のバッテリーを備えて構成してある。
【発明の効果】
【００１３】以下、上記のように構成される本考案が、如何に作用して課題を解決するかを、図面を参照しながら概説する。【００１４】図１は本考案の構成を示す説明図である。【００１５】図中１は発電機を駆動させる為のバッテリーであり、昇圧インバータ２を介して駆動モーター３に電力を供給するものである。駆動モーター３から伝達される機械的運動エネルギーによりオルタネーター４で発電し、整流回路を経て各種インバータ６ａや各種コンバータ６ｂに供給される。インバータ６ａやコンバータ６ｂにより各種電圧を取り出し、目的の電気設備を駆動させるのである。【００１６】オルタネーター４で発電される電力のうち、余剰のものは充電回路を介してバッテリー１や予備のバッテリー７に供給されるものである。これによって本装置は駆動の自己保持を維持する事が可能である、尚大容量のバッテリーを備える事により其のバッテリーを介して動力を得る事が可能である【００１７】なお、不測の事態でバッテリー１が不能となった場合に備え、請求項２記載の考案においては予備のバッテリー７を備えるものである。【００１８】本考案は以上のように発電・充電を行うことが可能であることから、以下に示すような顕著な効果を奏するものである。【００１９】（１）自然エネルギーを利用した発電機のように高額な設備費を要することなく、しかも、天候等に左右されない安定した安価な電力の供給が可能である。【００２０】（２）大型化することにより自動車を始め動力を必要とする産業機器に利用が可能であり、様々な分野で応用可能である。【００２１】（３）各家庭に発電機を設置する事で大停電の危惧を持たなくて良くなる。【００２２】（４）各家庭の生活環境に合わせた電力の確保が容易となる。【００２３】（５）世界中の貧困な環境に甘んじなければならない人々に、巨大な設備や投資をせずに電気の援助が可能となる。【００２４】（６）発電機の形状が小型で大きな設置場所を要しない。しかも、静音性に優れ、大げさな発熱対策もいらず住環境の劣化の心配も不要である。【００２５】（７）システム設置後はバッテリー交換費用程度で維持可能であり、電気料金が大幅に安くなる。【００２６】（８）国際的な新しい電気事業産業が誕生可能となる。
【図面の簡単な説明】
【００１】
【図１】本考案の構成を示す説明図
【発明を実施するための形態】
【００２】以下、好ましい考案の一実施形態につき図面を参照しながら概説する。
【００３】図１において、１はＤＣ１２Ｖのバッテリーで、常に充電が行われ電源が確保されている。バッテリーの異常或いは故障によるダウンを避けるため、予備のバッテリー７を並列接続する。
【００４】２は昇圧インバータで、受電したＤＣ１２ＶをＡＣ１００Ｖに昇圧し、下流の駆動モーター３へ電流を送る。駆動モーター３は０〜１００００ｒｐｍの交流１００Ｖ可変モーターを使用する。なお、可変モーター３として直流１００Ｖ可変モーターも利用可能であり、この場合２は昇圧コンバータを使用することになる。
【００５】オルタネーター４により発電された電力は整流器により直流に整流され、各種インバータ６ａや各種コンバータ６ｂに供給されるものである。これらインバータやコンバータにより各種電流・電圧を取り出し、目的の電気設備に供給されるものである。
【００６】なお、オルタネーター４により発電された交流電圧を変圧器を介して目的の電気設備に供給しても構わない。
【００７】オルタネーター４により発電された電力のうち余剰のものはバッテリー１や予備のバッテリー７に供給されるものである。（自己保持回路）
【００８】５は電源バッテリー１と予備バッテリー７を監視し、異常が発生した場合に知らせる警報ブザーである。異常を報せるとともに、電源を確保する為に正常なバッテリーに切り替えるためのリレーを介在させれば、より使い勝手にとむものとなる。
【００９】尚、上記バッテリーやコンバータの性能は一例であり、例えばＤＣ２４Ｖ仕様やＤＣ４８Ｖ仕様等、各種性能品を使用することも当然可能である。
【符号の説明】
【０１０】１・・バッテリー
２・・昇圧インバータ
３・・駆動モーター
４・・オルタネーター（発電機）
５・・警報ブザー
６ａ・・インバータ
６ｂ・・コンバータ
７・・予備バッテリー
８・・自己保持回路
９・・動力伝達Ｖベルト
【図１】
2014018047.tif 000003